(57)【要約】【目的】注湯口を挟んで左右の支持脚片を対称状に有する支持其板と、コーヒー粉末を封入する袋状フィルタとからなるコーヒー濾過器において、フィルタ内に封入するコーヒー粉末を支持基板の成形前に封入して組立完成の迅速化を図るようにしたドリップ式コーヒー濾過器を提供する。【構成】左右に支持脚片（６，６）を対称上に備える支持基板（２）を中心線に沿って分割し、一対の分割基板（２ａ，２ａ）に形成する。一方、フィルタ（４）を偏平に展開して分けられるフィルタの取付片（１３，１３）に前記分割基板をそれぞれ止着し、更に該フィルタ（４）の左右における縁部を各止着して袋状にし、その内部にコーヒー粉末（３）を封入する。その後、前記分割基板（２ａ，２ａ）同士を切分け縁部（１９）において接合し、支持基板（２）とすることによってフィルタ内部へのコーヒー粉末（３）の封入に併せて組立を完成するようにしたコーヒー濾過器を提供する。【選択図】図１
2008212546.tif 000002
【特許請求の範囲】
【請求項１】
注湯口を開設する中央基板の左右から脚端部にコーヒーカップの縁部に係止する係止部を設けてなる一対の支持脚片を対称状に延設して横長長方形状に形成する支持基板と、２つ折りにする濾紙の左右において重なり合う縁部を接合し袋部を形成してコーヒー粉末を封入する一方、該袋部の開口部から延設する２つの取付片をそれぞれ前記支持基板の背面に止着して上記開口部を前記柱湯口に臨ませる袋状のフィルタとからなるドリップ式コーヒー濾過器において、
前記支持基板は左右方向の中心線に沿って２つに切分けられる一対の分割基板から構成し、また前記フィルタは前記袋部を間においてその両側に前記取付片を配置して偏平に展開した状態にして該各取付片に前記分割基板をそれぞれ重ね合せに止着して組合せ、次に展開した前記袋部を２つ折りにして重り合う左右の縁部をそれぞれ接合して袋部に形成すると共に、該袋部に前記形成する注湯口を通して前記コーヒー粉末を投入し、その一方衝き合せに揃えられる前記分割基板の切分け縁部同士を接合して前記分割基板から前記支持基板に組立てることを特徴としたドリップ式コーヒー濾過器。
【請求項２】
請求項１に記載のドリップ式コーヒー濾過器において、分割基板は切分け縁部同士を接合片の止着によって接合することを特徴としたドリップ式のコーヒー濾過器。
【請求項３】
請求項２に記載のドリップ式コーヒー濾過器において、分割基板の切分け縁部を接合する接合片は上記縁部に沿って貼り付ける粘着テープ片であることを特徴としたドリップ式のコーヒー濾過器。
【請求項４】
請求項１に記載のドリップ式のコーヒー濾過器において、分割基板に形成する注湯口は開口部に沿って切離し可能なミシン線によって形成し、該ミシン線により囲まれる部分を前記注湯口に対する取外し自由な蓋部とすることを特徴としたドリップ式のコーヒー濾過器。
【請求項５】
請求項４に記載のドリップ式のコーヒー濾過器において、蓋部は支持基板を２つの分割基板に切分ける中央線に沿って２分し、その半分づつを上記分割基板に保持させることを特徴としたドリップ式のコーヒー濾過器。
【請求項６】
請求項５に記載のドリップ式のコーヒー濾過器において、２分された蓋部は分割基板を接合する接合片によって接合することを特徴としたドリップ式のコーヒー濾過器。
【請求項７】
請求項４又は５又は６に記載のドリップ式のコーヒー濾過器において、分割基板にミシン線の形成によって設けられる注湯口の蓋部には該蓋部を横断する折曲げ線を形成して舌状の開封用摘み部を設けることを特徴としたドリップ式のコーヒー濾過器。
【請求項８】
請求項２乃至７に記載のドリップ式のコーヒー濾過器において、分割基板を接合する接合片はフィルタにコーヒー粉末を投入したのち止着することを特徴としたドリップ式のコーヒー濾過器。      
【発明の詳細な説明】
【技術分野】
【０００１】
本発明は、ドリッブ式コーヒー濾過器に関する。更に詳しくは使い捨てに係る簡易型のドリップ式コーヒー濾過器に関するものである。
【背景技術】
【０００２】
レギュラーコーヒーの需要の高まりに合せてコーヒー粉末に湯を注ぎ込むことによってコーヒー液を抽出するコーヒー濾過器、取り分け一杯のコーヒー液を抽出する簡易型のコーヒー濾過器については現在各種各様のものが提案されており、多くのものが商品化されて市場に出回っている状況にある。
レギュラーコーヒー抽出用の使い捨てに係るコーヒー濾過器には、大別して抽出方式を異にする２種類のものがある。その一つのタイプはコーヒー粉末を収めたフィルタをコーヒーカップ内に落とし込み、これに湯を注ぎ込んでコーヒー粉末に湯を通し、コーヒー液を抽出する浸漬型のものであり、他のタイプはカップ上に載置してフィルタ内に収めたコーヒー粉末に湯を注ぎ、抽出されたコーヒー液をカップに滴下させるタイプのドリップ式のコーヒー濾過器である。
【０００３】
前者の浸漬型の濾過器は構造が簡単であり、取扱いが容易である反面、ティーバッグと同様に、抽出されたカップ内のコーヒー液にコーヒー粉末が漬った状態となることから、漬り加減によってコーヒー成分の抽出状態が変り、漬り過ぎによって苦味等不要な成分が抽出する等して味を落す問題がある。
【０００４】
これに対し、ドリップ式の使い捨てコーヒー濾過器は、簡易な構造ではあってもカップ上に載置され、注いだ湯をコーヒー粉末に通してこの間にコーヒー成分を抽出するものであり、抽出後はカップに受けてコーヒー液が再度コーヒー粉末に接触しない構造になることから不要な成分の抽出を回避することができ、従って前記浸漬型に比べて理想に近い抽出方式となる。
【０００５】
しかし、いずれの方式の濾過器も現在市販されている多くのものはフィルタ内に予めコーヒー粉末を封入するものであって、使用に際してはフィルタを切り開く等して開封したのち、コーヒー粉末に対して直接湯を注ぎ込む構造に係る。従って、これらの濾過器は製造の段階でフィルタ内に所定量のコーヒー粉末を封入しておく必要がある。更に言えば、それぞれ構造を異にはしても、これらは製造工程のいずれかでフィルタ内にコーヒー粉末を封入する工程を準備する必要があり、そのためフィルタ自体に、更にはコーヒー濾過器自体をコーヒー粉末を封入するに適した構造に設計することになる。
【０００６】
中でも、ドリップ式のコーヒー濾過器の場合は、前述したようにコーヒー液を抽出する上で理想的な構造になってはいるが、カップ上にフィルタを支える必要があることから、これを支持するための支持体は不可欠のものである。しかも、製造工程の中でこの支持体とフィルタを組合せること、そして、フィルタ内にコーヒー粉末を封入しなければならないと言った厄介な作業が加わることから必然的に構造的に制約されるものとなっている。
取り分けドリップ式濾過器にあっては、使用時にカップ上に載置した状態でフィルタ内に湯を注ぎ込むことになるため転倒の危険を回避するものでなくてはならず、従って、安定した構造であると同時に、湯を溜めたフィルタを支持できる強度と耐久性を備えるものであることが求められる。
【０００７】
出願人は、この様な条件に対応したドリップ式の濾過器として既に特許文献１，２に記載されるものを提案し、実用化させている。  
【特許文献１】特公昭５９−  ３０４１１号公報。
【特許文献２】特公昭６１−    ３６９３号公報。
【０００８】
上記特許文献１，２に記載されるコーヒー濾過器は、共に基本的構成体を略共通にしたものとなっているので、ここでは特許文献１に記載の濾過器について説明すると、濾過器２は中央部に開口部７を形成する支持板４の両側に支持脚片１０，１０を延設して横長の長方形状に形成し、その一方、この支持板４とは別体にコーヒー粉末３を収容する濾紙袋５を形成してこの濾紙袋５の開口縁から延設する２枚の貼着片１６，１６を前記支持体４の背面に添わせて一体に止着し、これによって濾紙袋５の開口縁と支持板４の中央部に開設する前記開口部７とを連通させて組立てるものにしてある。
【０００９】
この濾過器は、使用に際しては前記支持板４の左右の支持脚片１０，１０を門形に折り曲げ、各脚端に形成する内外の片２０と２２（端縁２０と係入片２２）をコーヒーカップ１７の縁に掛け止めてカップ上に起立した状態に載置し、次に開口する支持板４の開口部７から湯を濾紙袋５内に注ぎ込み、袋内に予め投入しておくコーヒー粉末３を湿潤させることでコーヒー液を抽出し、この液を前記コーヒーカップ１７に受けるものとしている。
【００１０】
この濾過器におけるコーヒー粉末の封入については、特許文献中には特に記述されていないが、実際の製造においては支持板４に対して前記の如く濾紙袋５を止着し、開口部７に濾紙袋５の開口縁を臨ませるように両者を一体に組付け、濾過器を完成させたのち濾紙袋５にコーヒー粉末３を投入し、その後この開口縁をヒートシールによって閉塞してコーヒー粉末の溢れ出しを防止すると言った手順によって製造している。
このコーヒー粉末の封入手順は、支持板４と濾紙袋５の組立後でなければ、濾紙袋の袋状形態が保持できないことと、仮に濾紙袋を袋状に先に形成してこれにコーヒー粉末を封入するにしても、次にこの状態で支持板４に貼着しなければならなくなり、このときコーヒー粉末を封入した濾紙袋を適確に保持することが容易でないことから現段階では簡単には変更できないものとなっている。
【００１１】
しかし、この支持板４と濾紙袋５との組合せ後におけるコーヒー粉末３の充填は厄介なものがあり、迅速な投入が困難で、大量製造における一つの課題となっている。
その理由は、支持板４の開口部７に臨む濾紙袋５の開口縁が広く開口せず、コーヒー粉末３を充填する充填機の投入ノズルが迅速に、且つ円滑に袋内部に挿入できないことにある。
つまり、濾紙袋５を背面に貼着し、これを組付けた支持板４は、開口部７を最も広い状態に保持するために偏平に展開した状態に保持することになるが、この状態における濾紙袋５は貼着１６，１６を支持板４の背面に接面した状態におくことから両方向から臨む開口縁は衝き合った状態に揃って口を閉ざすことになる（特許文献１の第１０図を参照）からである。  
【発明の開示】
【発明が解決しようとする課題】
【００１２】
本発明は、上記課題を解決するため開発されたもので、ドリップ式コーヒー濾過器にあってコーヒーカップ上に載置固定する支持板（支持基板）と、この支持板によって吊設状に支持され、予め内部に収納するコーヒー粉末に湯を注ぎ込むことによって抽出されるコーヒー液を上記コーヒーカップに滴下する濾紙袋（フィルタ）からなるコーヒー濾過器における上記封入するコーヒー粉末を製造工程の中において迅速に、且つ円滑に濾紙袋内に封入することができるように構造を改善したコーヒーの濾過器を提供しようとするものである。
本発明は、この構造の改善によって的確なコーヒー粉末の封入を実現すると共に、製造効率を高め生産性の向上によって更なる量産化を可能にしたもので、良質で製造単価を抑えることができるドリップ式コーヒー濾過器を提供しようとするものである。
【課題を解決するための手段】
【００１３】
本発明は、上記目的を達成するため、湯を注ぎ込む注湯口を開設する中央基板の左右から脚端部にコーヒーカップの縁に係止する係止部を備える左右の支持脚片を対称状に延設形成する支持基板を左右方向の中心線に沿って前後に２つに切り分け、一対の分割基板にする一方、袋状のフィルタとなる濾紙を偏平に展開して中央部に袋部となる部分を、その両側に取付片を延設して、該取付片に前記分割基板を重ね合せ、それぞれ接合して組合せたのち、上記濾紙の袋部となる部分を２つ折りに折り曲げ、左右の重り合う縁部同士を接合して袋部を形成すると同時に、前記２つの分割基板の切分けた縁部同士を揃えて、この状態においてこの縁部の間を通して前記形成されるフィルタの袋部にコーヒー粉末を投入するようにしたことにある。そして、このコーヒー粉末の投入後、分割基板相互を接合片の接合によって連結し、前記支持基板としたものである。
【００１４】
更に本発明濾過器を詳述すると、注湯口を開設する中央基板の左右から脚端部にコーヒーカップの縁部に係止する係止部を設けてなる一対の支持脚片を対称状に延設して横長長方形状に形成する支持基板と、２つ折りにする濾紙の左右において重なり合う縁部を接合し袋部を形成してコーヒー粉末を封入する一方、該袋部の開口部から延設する２つの取付片をそれぞれ前記支持基板の背面に止着して上記開口部を前記柱湯口に臨ませる袋状のフィルタとからなるドリップ式コーヒー濾過器にあって、前記支持基板は左右方向の中心線に沿って２つに切分けられる一対の分割基板から構成し、また前記フィルタは前記袋部を間においてその両側に前記取付片を配置して偏平に展開した状態にして該各取付片に前記分割基板をそれぞれ重ね合せに止着して組合せ、次に展開した前記袋部を２つ折りにして重り合う左右の縁部をそれぞれ接合して袋部に形成すると共に、該袋部に前記形成する注湯口を通して前記コーヒー粉末を投入し、その一方衝き合せに揃えられる前記分割基板の切分け縁部同士を一体に接合して前記分割基板から前記支持基板に組立てることを特徴としたドリップ式コーヒー濾過器を提供するものである。
【００１５】
また本発明は、前記分割基板の切分け縁部を接合片によって接合することを特徴としたドリップ式コーヒー濾過器を提供することにある。そして、上記接合片は前記切分け縁部に沿って貼り付けるテープ片であることを特徴としたドリップ式コーヒー濾過器を提供することにある。
【００１６】
また本発明は、前記分割基板に形成する注湯口は開口部に沿って切離し可能なミシン線によって形成し、該ミシン線により囲まれる部分を前記注湯口に対する取外し自由な蓋部とすることを特徴としたドリップ式コーヒー濾過器を提供するものである。
【００１７】
また本発明は、前記蓋部は支持基板を２つの分割基盤に切分ける中央線に沿って２分し、その半分づつを蒸気分割基板に保持させることを特徴としたドリップ式コーヒー濾過器を提供するものである。
【００１８】
また本発明は、前記２分された蓋部は分割基板を接合する接合片によって接合することを特徴としたドリップ式コーヒー濾過器を提供するものである。
【００１９】
また本発明は、前記分割基板にミシン線の形成によって設けられる注湯口の蓋部には該蓋部を横断する折曲げ線を形成して舌状の開封用摘み部を設けることを特徴としたドリップ式コーヒー濾過器を提供するものである。
【００２０】
また本発明は、前記ドリップ式コーヒー濾過器において、前記分割基板を接合する接合片はフィルタにコーヒー粉末を投入したのち止着することを特徴としたドリップ式コーヒー濾過器を提供するものである。      
【００２１】
上記本発明に係るコーヒー濾過器は、前記従来のコーヒー濾過器（特許文献１，２に記載のコーヒー濾過器）と比較したとき、第１に相違する点は、従来のものが支持基板（支持板）を成形の段階から一枚のシートとして形成しているのに対して本発明では支持基板を２つに分割した２枚の分割基板から構成し、組立の最終段階において両分割基板を一体に接合して支持基板を形成する点である。
【００２２】
本発明において、上述の様に支持基板を２枚の分割基板から構成することはコーヒー粉末を封入するフィルタとの組合せを全く異らせるもので、最終的には同一形状のコーヒー濾過器の形態となるが、製造工程と共に各部の構造は異るものとなり、ことにフィルタに対するコーヒー粉末の封入は全く異るものとなる。
【００２３】
即ち、従来の一枚の支持基板に対し、その背面にフィルタを接合して組立られる濾過器に対しては、コーヒー粉末を充填する場合、支持基板の注湯口を通してコーヒー粉末の充填機の投入ノズルをフィルタの開口部に臨ませると、フィルタの取付片が支持基板の背面に添って貼り付くことから開口部が閉じた状態となる。従って、上記投入ノズルの侵入を阻むものとなり、これを無理に押し開くと損傷する危険がある。
【００２４】
この状態に対し、本発明濾過器は支持基板が２つに分割された分割基板からなり、フィルタが袋状に形成された状態となったとき、この２つの分割基板は相互の間を開放可能な状態におかれることから上記フィルタ内にコーヒー粉末を投入すると、コーヒー粉末の充填機の投入ノズルがこの分割基板相互の間を通してフィルタの開口部に難なく侵入することができ、容易に投入することができるのである。
【００２５】
そして、このとき２つの分割基板の間を押し開くように、つまり分割基板相互が衝き合う切分け縁部が谷になるようにＶ字形に跳上った状態に折り曲げると、これに伴ってフィルタの取付片が分割基板の跳上がりによって外に開くため、フィルタの開口部が自動的に開くことになり、一層投入ノズルの挿入が容易になるのである。
【００２６】
２枚の分割基板はフィルタ内へのコーヒー粉末の投入後、引き揃えた切分け縁部に沿って接合片を止着することによって接合され、支持基板に組立られる。
この接合片の止着によって分割基板同士の接合と同時に、注湯口を通して露出するフィルタの開口部、実質的にはこの開口部から延設する取付片同士を接合すると、併せてフィルムの開口部を閉塞することができ、コーヒー粉末の封入を完成させることができる。
【００２７】
尚、支持基板の注湯口に蓋部を有する濾過器にあっては、前記接合片を分割基板の切分け縁部に沿って貼付ける際一体に貼付け、使用時に注湯口を開放するとき、蓋部の剥取りに併せて切り取るようにすればよい。
ところで、この蓋部は注湯口に臨むフィルタの開口部を被うもので、分割基板を形成するとき、各分割基板と共に半分づつを形成して分割基板と一体のものとしておくことができる。そして、フィルタの取付片を各分割基板に止着するとき、そしてフィルタの袋部を形成するときも、この分割基板と一体のまゝにしておくことができる。
【００２８】
従って、この蓋部は前述したようにフィルタ内にコーヒー粉末を投入する際、分割基板間に形成される注湯口を被い、フィルタの開口部を塞ぐことになる。一方、分割基板の切分け縁部を開くようにすると、つまり両分割基板をＶ字形に折り曲げると、これに伴って半分づつの蓋部が中央部で開き、開口部を開放してコーヒー粉末の投入ノズルの挿入を可能にすることになる。
【００２９】
蓋部は使用時の切離しを容易にするため分割基板にミシン線を入れることによって形成し、簡単に切り取ることができるようにする。そして、前記開封用摘み部は、この切り取りの際に指での剥ぎ取りを容易にするためのもので、これには摘み易くするため折り曲げて立ち上げ易くするミシン線が設けられる。
【００３０】
上記構成される本発明のコーヒー濾過器は、コーヒー粉末を封入したフィルタを両側から挟むように２つの分割基板を接合片で接合される切分け縁部を中心にして折りたゝむことになる。そして、半分の大きさにしたところで包装袋に収納し、これを密閉して保管することになる。
その一方、使用に当っては、包装袋から取り出したところで、両分割基板を偏平に開き、蓋部を有するものにおいてはここで剥ぎ取り、次に中央基板を間において左右の支持脚片を門形に折り曲げ、起立した状態にして、次に各支持脚片の係止部をコーヒーカップの縁部に掛け止めてカップ上に載置し、セットを完了する。そうした後、開口する注湯口から湯を注ぎ込んで抽出されたコーヒー液をカップに受けることになる。  
【発明の効果】
【００３１】
以上説明の様に、本発明によれば、支持基盤を２つの分割基板から構成し、支持基板に止着するフィルタにコーヒー粉末を封入する際には分割基板の衝き合せになる切分け縁部を開くことで、同時にフィルタの開口部を開放することができることから、容易に投入することができる。そしてこの時、コーヒー粉末の投入ノズルをフィルタの開口部に衝き当ててこれを損傷すると言った問題を未然に解消することができるのである。従って、本発明によれば自動製造において迅速な製造が可能であり、しかも安定した良質なコーヒー濾過器が得られることになる。  
【発明を実施するための最良の形態】
【００３２】
次に本発明のコーヒー濾過器について、その特徴とするところを図面に示す実施例に基づき詳述し、併せてその他の特徴について説明することにする。
【実施例１】
【００３３】
図面の図１〜図７は本発明に係るコーヒー濾過器の第１の実施例である。図１はコーヒー濾過器を展開した状態における平面図であり、図２は図１のＡ−Ａ線断面図であり、図３は展開した状態の平面図である。
本発明のコーヒー濾過器１は支持基板２とこの支持基板に止着され一体に組付けられるコーヒー粉末３を封入してなるフィルタ４から構成される。
【００３４】
支持基板２は、厚紙等シート状の素材によって形成されるもので、中央部に位置する中央基板５と、この中央基板５の左右側部から延設される一対の支持脚片６，６を備える。そして、上記中央基板５には注湯口７を開設し、左右の支持脚片６，６にはそれぞれ脚端部８に横向きに幅広のＵ字形の切込み９を入れて係止部１０を構成する内外の狭持片１０ａ，１０ｂを形成している。
【００３５】
この支持基板２は、図示するように左右に向けて（図１において左右方向）２つの支持脚片６，６を延設することによって横長の長方形状に形成され、その両端に前記係止部１０，１０を設けることで中央に位置する注湯口７を挟んで左右対称形をなしており、この支持基板２の背面部にコーヒー粉末３を封入する前記フィルタ４を一体に止着して濾過器１を構成するものとなっている。
【００３６】
図中１１は、前記支持基板２の中央に左右横断するように貼付けた接合片である。この接合片１１は支持基板２を構成する２つの分割基板２ａ，２ａを接合する。つまり、本発明濾過器における上記支持基板２は２つの分割基板２ａ，２ａ同士を接合片１１で接合することで支持基板２を構成するものとなっている。
次に、この２つの分割基板２ａ，２ａについてフィルタ４との関係を通して更に説明することにする。
【００３７】
図３は、本発明濾過器の分解平面図である。ここにはフィルタ４が展開した状態で示されている。濾紙を材料に形成されるフィルタ４は、中央部に袋部４ａを形成する部分１２を設け、この部分１２の両側に一対の取付片１３，１３を延設する如く対称形に備える。
上記取付片１３，１３は分割基板２ａ，２ａの背面に収まる大きさに形成し、また袋部４ａを形成する部分１２は２つ折りにして袋としたとき、封入するコーヒー粉末３（約８ｇ前後の量）を収めるに充分な広さに形成するものとする。
【００３８】
このフィルタ４は展開した状態において、部分１２と両取付片１３，１３の各斜線で表示する糊付部分１４，１５に接着剤を塗布し、取付片１３，１３に重ねる分割基板２ａ，２ａを糊付部分１５で接着してフィルタ４との組付けを行い、また袋部となる部分１２を折曲げ線１６，１６に沿って襞を設けながら２つに折曲げ、この折曲げによって重なる左右の縁部を糊付部分１４で接合することで偏平な袋部４ａを形成する。
【００３９】
図４は、この様にして取付片１３，１３にそれぞれ分割基板２ａ，２ａを貼り付け、フィルタ４との組付けを行ったのち、糊付部分１４，１４の接着によって袋部４ａを形成した状態における支持基板２の平面図である。
上記糊付部分１４，１４が接着されて部分１２の左右の縁部が閉じられると、偏平な袋状になるのと同時に、取付片１３，１３を延設する縁部１７，１７が寄り合ってここに袋部４ａの開口部１８を形成することになる。そして、この袋部４ａの形成に併せて縁部１７，１７の寄り合せに伴い、２つの分割基板２ａ，２ａは切分けた縁部１９，１９を衝き合せ状に揃えて支持基板２の形状に組合うことになる。
【００４０】
図５は、上記袋部４ａの形成によって２つの分割基板２ａ，２ａが引き揃えられ、支持基板２の外形を形作ったのち、コーヒー粉末３を上記袋部４ａに投入する状態を示した中央部で断面とした中央縦断右側面図である。
この図面は、切分け縁部１９，１９を衝き合せた２つの分割基板２ａ，２ａを、この縁部１９，１９が谷になるようにＶ字形に折り曲げて分割基板２ａ，２ａが斜めになることに伴って、これらの背面に接合されたフィルタ４の取付片１３，１３がその縁部１７，１７を開き、これによって袋部４ａの開口部１８が開放する姿を示している。
【００４１】
従って、上記開放を利用して分割基板２ａ，２ａの上方からコーヒー粉末の投入ノズル２０を臨ませると、注湯口７を通してそのまゝ開放する袋部４ａの内部に挿入することができることになる。
分割基板２ａ，２ａのＶ字形の折曲げは、この基板同士がフィルタ４を介して接合されているに過ぎないことから、抵抗なくＶ字形に曲げることができる。しかも、上記接合位置が袋部４ａの左右の縁部、つまり接合部１４，１４にあって注湯口７の開口縁を離れた外側であることから、切分け縁部１９，１９は容易に、且つ大きく開くことになり、前記投入ノズル２０の挿入を容易にする。
【００４２】
この様にしてコーヒー粉末３の投入を行ったのち、両分割基板２ａ，２ａを偏平に戻し、次に切分け縁部１９，１９に沿って接合片１１を接合し、支持基板２に組立るのである。
接合片１１は、片面に粘着剤を塗布したテープが適当である。この接合片１１は注湯口７を避けた分割基板２ａ，２ａの表面部分にのみ貼付け接合するようにしてもよいが、注湯口７を通して覗くフィルタ４の開口部１８を跨いで取付片１３，１３同士を接合し、開口部１８を閉塞するようにしてもよい。
たゞこの場合、取付片１３，１３を強力に接合すると、開封時に破損する危険があるので、テープには剥離しやすい粘着剤を用いることが望まれる。
【００４３】
本発明の濾過器は、上記接合片による両分割基板２ａ，２ａの接合によって完成され、保管においては、気密性に優れるアルミ箔等の包装紙に２つ折りに折り畳んで収納し、密封保管することになる。
図６は、本発明濾過器を包装袋への収納に備えて２つ折りにした状態を示している。このとき支持基板２は接合片１１において簡単に折曲げることができる。
【００４４】
次に、図７は本発明コーヒー濾過器１の使用状態を説明する斜視図である。
濾過器１は、２つ折りにして収納した包装袋から取出したのち、再び支持基板２を偏平に展開し、注湯口７に渡る接合片１１を切り取ってフィルタ４の開口部１８を開封する。次に、支持基板２の左右の支持脚片６，６を中央基盤５との境界に形成する折曲げ線２１，２１を基点に門形に折曲げ、起立させたのち、各脚端部８，８に形成する係止部１０，１０の内側狭持片１０ａを内側に押し込んで外側狭持片１０ｂとの間を開き、コーヒーカップ２２の縁部２２ａを差し入れることでカップ２２に対する装着を行う。
【００４５】
上記装着されるコーヒー濾過器１は、切込み９によって形成される横方向の切欠き縁２３をカップの縁部２２ａに当接することで支持脚片６，６を垂直に支持され、また内外の狭持片１０ａ，１０ｂでこのカップの縁部２２ａを狭持することでずれ落ちることなく安定した状態に支持されることになる。
そして、左右の支持脚片６，６が門形に折曲げられることでフィルタ４の左右が寄り合い、これに伴い開封された開口部１８が前後に開くことになることから注湯口７を通して湯を注ぎ込めばフィルタ４に収容したコーヒー粉末３を湿潤することができ、抽出したコーヒー液をそのまゝコーヒーカップ２２に受けることができる。  
【実施例２】
【００４６】
次に、図８〜図１０は注湯口７に蓋部２４を備えた本発明コーヒー濾過器の第２の実施例を示すものである。尚、図面において、前記実施例１の部所と同一の部所については同一の符号を付し、その説明を省略する。
蓋部２４は、注湯口７を塞いでフィルタ４の開口部１８を閉ざすものであり、ここでは支持基板２を構成する２つの分割基板２ａ，２ａを形成するとき、中央基板５に相当する部分に切り離しのミシン線２５を形成して設けている。
【００４７】
ミシン線２５は、注湯口７の縁部に沿って各分割基板２ａ，２ａにコ字形に形成し、このミシン線２５に囲まれた部分を蓋部２４の片半部分２４ａ，２４ａとしている。そして、この両片半部分２４ａ，２４ａには横断するように折り曲げるための第２のミシン線２６，２６を設けてある。
上記第２のミシン線２６，２６は、蓋部２４を支持基板２から切り離すとき、開封用の摘み部２７，２７を起すためのもので、切り離しのミシン線２５の一部を指の押込み等にって切り離したのち、摘み部２７を引き出すとき使われる。
【００４８】
この実施例における濾過器１は、前記実施例１の場合と同様に展開したフィルタ４に２つの分割基板２ａ，２ａを取付片１３，１３を介して取付けたのち、このフィルタ４を袋状に折りたゝむのを利用して引き揃え、支持基板２を形成することになる。
上記引き揃えられた２枚の分割基板２ａ，２ａは、切分け縁部１９，１９に沿って貼り付ける接合片１１によって接合される。そして、この貼り付けに併せて２分された蓋部２４の片半部分２４ａ，２４ａ同士を接着することで蓋部を完成することになる。
【００４９】
この蓋部２４を備えた濾過器１は、使用に際しては、支持基板２を展開した状態にして蓋部２４を摘み部２７を起して引き出すのを利用してミシン線２５に沿って切り離し、注湯口７を開口させる。この切り離しに併せて接合片１１をミシン線２５の位置で切断し、蓋部２４に合せて取り除くことになる。
この様にして蓋部２４を外したのちは前記第１の実施例と同様にしてコーヒーカップ２２上に載置し、湯の注ぎ込みによってコーヒー液の抽出を行うことになる。
【００５０】
上記蓋部２４による注湯口７の閉塞は、フィルタ４の開口部１８を直接閉塞するのを省略するものであり、フィルタ内にコーヒー粉末３を投入したのち、この開口部１８を閉じ合せて封じることの煩わしさを有効に解消することになる。
【００５１】
以上、実施例につき説明するように、本発明濾過器１は支持基板２を２つの分割基板２ａ，２ａから構成し、この分割基板２ａ，２ａにフィルタ４の取付片１３，１３を接合して両者の組付けを行う一方、このフィルタ４を袋状に接合するのを利用して分割された上記２つの分割基板を支持基板２に組合せる構造としたことから、この支持基板を介してフィルタ４を袋状に維持し、保持することができる結果、フィルタにコーヒー粉末３を投入する時、安定した状態で投入作業が行え、しかも、このとき支持基板２を構成する分割基板２ａ，２ａ相互はフィルタ４の袋部４ａの接合によって揃った状態に保持されることから、Ｖ字形に折れ曲ってフィルタ４の開口部１８を開き、容易に投入ノズル２０の侵入を許すことになり、迅速且つ適確なコーヒー粉末の投入が可能となり、製造性を頗る良好なものとする。
【００５２】
更に本発明濾過器は、分割基板２ａ，２ａ相互を接合する接合片１１を利用してフィルタの開口部１８を封ずることができ、また蓋部２４を有するものにあっては、この蓋部によって封ずることができることから上記開口部１８を直接封ずる必要がなく、製造性を更に高めることができる利点がある。
【００５３】
勿論、フィルタ４の開口部１８を封ずる接合片１１については紙片等切断が容易な材料にすればよく開封作業を容易にすることができる。また蓋部２４とした場合は、切離しのミシン線２５の切込みを大きくする等して容易に切り取れるようにすれば簡単に取り除くことができる。
【００５４】
尚、上記接合片１１については、前述した様にテープ状にすることがあることを説明したが、この接合片に塗布される粘着材は２つの分割基板２ａ，２ａを接合できる強さがあればよく、高い粘着力を求められるものではない。特に、この接合片１１によってフィルタ４の寄り合う取付片１３，１３同士を接着して開口部１８を閉じる場合は、強い粘着力があると、この取付片を破損することにもなるので、引き剥しに当って取付片１３，１３を破損しない程度で接着する剥離可能な粘着材の選択が求められる。
【図面の簡単な説明】
【００５５】
【図１】本発明に係るコーヒー濾過器の支持基板を偏平に展開した状態における平面図。
【図２】図１のＡ−Ａ線断面図。
【図３】フィルタと支持基板を構成する分割基板とを分解し、展開した状態における平面図。
【図４】フィルタを袋状にし、２つの分割基板を寄せ合せて支持基板とした状態における平面図。
【図５】接合片で接合する前における２つの分割基板を切分け縁部を谷部にしてＶ字形に折曲げた状態の中央縦断右側面図。
【図６】包装袋に収納するため山形に２つ折りにした状態の斜視図。
【図７】使用状態を説明する斜視図。
【図８】他の実施例における本発明に係るコーヒー濾過器の支持基板を偏平に展開した状態における平面図。
【図９】フィルタと支持基板を構成する分割基板とを分解し、展開した状態における平面図。
【図１０】フィルタを袋状にし、２つの分割基板を寄せ合せて支持基板とした状態における平面図である。
【符号の説明】
【００５６】
１            本発明に係るコーヒー濾過器
２            支持基板
２ａ          支持基板を構成する分割基板
３            コーヒー粉末
４            フィルタ
４ａ          フィルタの袋部
５            中央基板
６            支持脚片
７            注湯口
８            脚端部
９            切込み部
１０          係止部
１０ａ        係止部を構成する内側狭持片      
１０ｂ        係止部を構成する外側狭持片
１１          接合部
１２          フィルタの袋部を形成する部分
１３          フィルタの取付片
１４，１５    接着部分
１６          袋部の折曲げ線
１７          袋部と取付片の境界の折曲げ線
１８          フィルタの開口部
１９          分割基板の切分け縁部
２０          コーヒー粉末の投入ノズル
２１          折曲げ線
２２          コーヒーカップ
２２ａ        コーヒーカップの縁部
２４          蓋部
２５          切離しのミシン線
２６          折曲げのミシン線
２７          摘み部
【図１】
2008212546.tif 000003
【図２】
2008212546.tif 000004
【図３】
2008212546.tif 000005
【図４】
2008212546.tif 000006
【図５】
2008212546.tif 000007
【図６】
2008212546.tif 000008
【図７】
2008212546.tif 000009
【図８】
2008212546.tif 000010
【図９】
2008212546.tif 000011
【図１０】
2008212546.tif 000012